(57)【特許請求の範囲】
【請求項１】
自装置の識別情報を発信する発信機を有する第１の照明装置と；
所定の端末を介して受信した前記識別情報を送信する中継機を有する第２の照明装置と；
前記第１の照明装置が発信する識別情報と、当該第１の照明装置の設置位置を示す設置位置情報とを対応付けて記憶し、前記第２の照明装置を介して受信した識別情報と対応付けられた設置位置情報から、前記所定の端末の位置を特定する外部端末と；
を具備することを特徴とする照明システム。  
【請求項２】
前記発信機は、商用電源による電力供給時に充電され、前記商用電源による電力供給の停止時に前記第１の照明装置が有する光源を点灯させる非常用電源からの電力を用いて、前記識別情報を発信する
ことを特徴とする請求項１に記載の照明システム。  
【請求項３】
前記中継機は、商用電源による電力供給が停止した場合は、商用電源による電力供給時に充電される非常用電源からの電力を用いて、前記識別情報を送信する
ことを特徴とする請求項１または２に記載の照明システム。  
【請求項４】
前記第２の照明装置が所定の間隔で設置され、
前記中継機は、前記所定の端末を介して受信した前記識別情報、または、他の中継機を介して受信した前記識別情報を送信する
ことを特徴とする請求項１〜３のうちいずれか１つに記載の照明システム。  
【請求項５】
前記発信機が発信した識別情報を受信すると、受信した識別情報を送信する端末と；
を具備し、前記中継機から識別情報を受信すると、受信した識別情報を送信する無線通信機と；
前記外部端末は、前記無線通信機から識別情報を受信すると、受信した識別情報と対応付けられた前記第１の照明装置の設置位置を特定する
ことを特徴とする請求項１〜４のうちいずれか１つに記載の照明システム。 
【発明の詳細な説明】
【技術分野】
【０００１】
本発明の実施形態は、照明システムに関する。
【背景技術】
【０００２】
従来、非常時に非常用電源を用いて動作し、常時に商用電源から非常用点灯制御部へ供給する電源の一部を用いて動作する無線中継器を具備する照明装置が提供されている。また、非常用電源を用いて動作する照明装置は、施設内に所定の間隔で配置することが義務づけられている。
【先行技術文献】
【特許文献】
【０００３】
【特許文献１】特開２００４−１８５９７８号公報
【発明の概要】
【発明が解決しようとする課題】
【０００４】
ところで、災害発生時等の非常時において施設内に残っている利用者の位置を特定したいという要望が存在する。しかしながら、上述した照明装置の技術では、利用者の位置を特定することができないという課題がある。
【０００５】
本発明は、災害時にも利用者の現在位置を特定できる照明システムを提供することを目的とする。
【課題を解決するための手段】
【０００６】
本実施形態の照明システムは、第１の照明装置と、第２の照明装置と、外部端末とを具備する。第１の照明装置は、自装置の識別情報を発信する発信機を有する。第２の照明装置は、所定の端末を介して受信した識別情報を、所定の装置へと中継する中継機を有する。外部端末は、第１の照明装置が発信する識別情報と、第１の照明装置の設置位置を示す設置位置情報とを対応付けて記憶し、第２の照明装置を介して受信した識別情報と対応付けられた設置位置情報から、所定の端末の位置を特定する。
【発明の効果】
【０００７】
本発明によれば、災害時にも利用者の現在位置を特定できる。
【図面の簡単な説明】
【０００８】
【図１】図１は、実施形態に係る照明システムを示す図である。
【図２】図２は、実施形態に係る照明装置の構成を示す図である。
【図３】図３は、実施形態に係る照明装置の構成を示す図である。
【図４】図４は、実施形態に係るサーバの構成を示す図である。
【図５】図５は、実施形態に係る照明情報データベースに格納される情報の一例を示す図である。
【図６】図６は、実施形態に係る監視装置の構成を示す図である。
【図７】図７は、実施形態にかかる照明装置が実行する処理の流れの一例を示すフローチャートである。
【図８】図８は、実施形態にかかる無線通信機が実行する処理の流れの一例を示すフローチャートである。
【図９】図９は、実施形態にかかる監視装置が実行する処理の流れの一例を示すフローチャートである。
【図１０】図１０は、実施形態にかかる照明システムが実行する処理の一例を示すシーケンス図である。
【発明を実施するための形態】
【０００９】
以下で説明する実施形態に係る照明システム１は、自装置の識別情報を発信する発信機（以下「ビーコン５」とする）を有する第１の照明装置（以下「照明装置１０」とする）と、所定の端末１３を介して受信した識別情報を送信する中継機（以下、「無線通信モジュール７」とする）を有する第２の照明装置（以下、「照明装置１１」とする）とを具備する。
【００１０】
また、以下で説明する実施形態に係る照明システム１において、ビーコン５は、商用電源６による電力供給時に充電され、商用電源６による電力供給の停止時に照明装置１０が有する光源２を点灯させる非常用電源３からの電力を用いて、識別情報を発信する。
【００１１】
また、以下で説明する実施形態に係る照明システム１において、無線通信モジュール７は、商用電源６による電力供給が停止した場合は、商用電源６による電力供給時に充電される非常用電源（以下、「無線通信モジュール用電源８」とする）からの電力を用いて、識別情報を送信する。
【００１２】
また、以下で説明する実施形態に係る照明システム１は、照明装置１１が所定の間隔で設置され、無線通信モジュール７は、端末１３を介して受信した識別情報、または、他の無線通信モジュール７を介して受信した識別情報を送信する。
【００１３】
また、以下で説明する実施形態に係る照明システム１は、ビーコン５から識別情報を受信すると、受信した識別情報を送信する端末１３と、無線通信モジュール７から識別情報を受信すると、受信した識別情報を送信する無線通信機１９と、照明装置１０の設置位置と照明装置１０が有するビーコン５が発信する識別情報とを対応付けて記憶し、無線通信機１９から識別情報を受信すると、受信した識別情報と対応付けられた照明装置１０の設置位置を特定する監視装置１７とを具備する。
【００１４】
［実施形態］
まず、本発明の実施形態に係る照明システム１を図面に基づいて説明する。図１は、実施形態に係る照明システムを示す図である。図１に示す例では、照明システム１は、複数の照明装置１０Ａ、１０Ｂ、１１Ａ、１１Ｂ、端末１３、サーバ１５、および監視装置１７を有する。
【００１５】
図１に示す各照明装置１０Ａ、１０Ｂ、１１Ａ、１１Ｂは、所定の施設内に設置された照明装置であり、例えば、災害発生時や照明装置に電力を供給する商用電源６が喪失した場合等（以下、「非常時」と記載する）に、蓄電池等の所定の非常用電源を用いて、施設内を照明する非常灯又は誘導灯等、非常用照明装置である。また、各照明装置１０Ａ、１０Ｂ、１１Ａ、１１Ｂは、施設内に所定の間隔で設置されているものとする。
【００１６】
図１に示す例では、照明装置１０Ａは、ビーコン５Ａと光源である非常用ランプ２Ａとを具備する。同様に、照明装置１０Ｂは、ビーコン５Ｂと非常用ランプ２Ｃとを具備する。一方、照明装置１１Ａは、無線通信モジュール７Ａと非常用ランプ２Ｂとを具備する。また、照明装置１１Ｂは、無線通信モジュール７Ｂと非常用ランプ２Ｄとを具備する。
【００１７】
なお、以下の説明では、非常用ランプ２Ａ〜２Ｄについて特に区別なく説明する場合は、非常用ランプ２と記載する。また、以下の説明では、ビーコン５Ａとビーコン５Ｂとを特に区別なく説明する場合は、ビーコン５と記載する。また、以下の説明では、無線通信モジュール７Ａと無線通信モジュール７Ｂとを特に区別なく説明する場合は、無線通信モジュール７と記載する。また、以下の説明では、照明装置１０Ａと照明装置１０Ｂとを特に区別なく説明する場合は、照明装置１０と記載する。また、以下の説明では、照明装置１１Ａと照明装置１１Ｂとを特に区別なく説明する場合は、照明装置１１と記載する。
【００１８】
照明装置１０、１１は、災害発生時や商用電源６が喪失していない状態、すなわち、非常時ではない状態（以下、「常時」と記載する）に、商用電源６が供給する電力を用いて、蓄電池等の非常用電源を充電し、非常時には、非常用電源に蓄えた電力を用いて、非常用ランプ２を点灯させる照明装置である。
【００１９】
例えば、照明装置１０、１１は、停電時等の非常時においては、避難誘導のため、非常用ランプ２を点灯させ、室内や廊下を照明する。また、他の例では、照明装置１０、１１は、非常口や避難通路を示すために設置される誘導灯であり、常時には、非常用電源を充電しつつ非常用ランプ２を点灯させ、非常時には、非常用電源に蓄えた電力を用いて、非常用ランプ２を点灯させることで、非常口や避難通路を示す。なお、照明装置１０、１１は、非常灯若しくは誘導灯以外の照明装置であってもよい。例えば、照明装置１０、１１は、常時においては、商用電源６を用いて非常用ランプ２を点灯させるとともに、所定の蓄電池の充電を行い、非常時においては、蓄電池から供給される電力を用いて非常用ランプ２を点灯させるような任意の照明装置であってもよい。
【００２０】
ビーコン５は、無線通信を用いて、所定間隔で自装置の識別情報を発信する。例えば、ビーコン５は、２．４ＧＨｚ帯を使用するＢＬＥ（Ｂｌｕｅｔｏｏｔｈ  Ｌｏｗ  Ｅｎｅｒｇｙ）（登録商標）といった無線通信規格の一方向モード（「ＡＤＶＥＲＴＩＳＩＮＧ  ＭＯＤＥ」と称される場合がある）を用いて、識別情報を周囲にブロードキャストする。ここで、識別情報とは、ビーコン５又はビーコン５が設置された照明装置１０を識別するための情報であり、例えば、ビーコン５又は照明装置１０に対して付与された一意の番号である。
【００２１】
無線通信モジュール７は、端末１３を介して受信した識別情報を送信する。具体的には、無線通信モジュール７は、ＢＬＥの双方向モード（「ＣＯＮＮＥＣＴＩＯＮ  ＭＯＤＥ」と称される場合がある）を用いて、端末１３や他の無線通信モジュール７から識別情報を受信する。かかる場合、無線通信モジュール７は、識別情報の送信元とは異なる無線通信モジュール７を特定し、特定した無線通信モジュール７に対して、受信した識別情報を送信する。また、無線通信モジュール７は、無線通信機１９と無線通信が可能である場合は、受信した識別情報を無線通信機１９に対して送信する。
【００２２】
監視装置１７は、施設内に設置された照明装置１０、１１を監視する装置であり、照明装置１０、１１の設置位置や点検結果等の管理を行う情報処理装置である。また、監視装置１７は、後述する処理により、非常時において施設内に位置する端末１３の位置を出力することで、施設内から避難していない利用者の存在や位置を報知する機能を有する。
【００２３】
端末１３は、施設内に存在する利用者が所持する移動装置であり、例えば、スマートフォンやタブレット端末等の携帯端末である。また、端末１３は、３Ｇ（Generation）または４ＧまたはＬＴＥ（Long  Term  Evolution）といったモバイルデータ通信規格、又は、無線ＬＡＮ（Local  Area  Network）といった無線通信規格を用いて、サーバ１５とデータの送受信を行う機能を有する。
【００２４】
サーバ１５は、インターネット上に配置された任意のサーバ装置であり、後述する処理により、端末１３の現在位置を特定するサービスを提供する。
【００２５】
無線通信機１９は、照明装置１０が有するビーコン５と無線通信１２により通信を行う。例えば、無線通信１２は、２．４ＧＨｚ帯使用Ｂｌｕｅｔｏｏｔｈ  Ｌｏｗ  Ｅｎｅｒｇｙ(以下、「ＢＬＥ」とする)無線通信規格による通信である。なお、図１では、無線通信機１９は、照明装置１１Ｂと無線通信が可能な位置にあり、有線又無線の通信経路２０を介して、監視装置１７と通信可能であるものとする。
【００２６】
上述した構成の元、照明システム１は、以下に説明する処理を実行する。まず、照明装置１０Ａのビーコン５Ａや照明装置１０Ｂのビーコン５Ｂは、所定の時間間隔で、識別情報を発信する。一方、端末１３は、例えば、無線通信１２を介して、ビーコン５Ｂが発信した識別情報を受信した場合は、受信した識別情報を、無線通信１４を介して、サーバ１５に送信する。
【００２７】
ここで、端末１３が受信した識別情報は、端末１３と無線通信１２が可能な位置に設置された照明装置１０のビーコン５が発信した識別情報であると予測される。このため、例えば、端末１３がビーコン５Ｂが発信した識別情報を受信した場合、端末１３は、照明装置１０Ｂの近傍に位置していると予測される。
【００２８】
そこで、サーバ１５は、端末１３から識別情報を受信すると、受信した識別情報を用いて、端末１３の現在位置を特定する。例えば、サーバ１５は、照明装置１０の設置位置と、照明装置１０のビーコン５が発信する識別情報とを対応付けて記憶する。また、サーバ１５は、端末１３から識別情報を受信した場合は、受信した識別情報と対応付けられた設置位置を特定する。そして、サーバ１５は、無線通信１４を介して、特定した位置を端末１３に通知する。この結果、端末１３は、サーバ１５から通知された位置を表示することで、利用者に現在位置を通知することができる。
【００２９】
また、サーバ１５は、特定した位置を示す位置情報を、通信経路１６を介して、監視装置１７に送信する。このような場合、監視装置１７は、受信した位置情報が示す位置を表示する。この結果、監視装置１７は、施設内に利用者がいるか否か、あるいは、施設内にいる利用者の現在位置等を、施設や照明システム１の管理者に通知することができる。
【００３０】
一方、地震等の災害により、移動通信網等に障害が生じた場合は、端末１３とサーバ１５とが通信できなくなる恐れがある。このような場合、端末１３は、照明装置１０から受信した識別情報をサーバ１５に送信することができない。また、端末１３は、無線通信機１９と無線通信が可能な位置に存在しない場合には、無線通信機１９を介して、監視装置１７に識別情報を送信することができない。
【００３１】
この結果、照明システム１は、災害時等に端末１３の利用者に現在位置を通知することができず、施設からの避難に支障をきたす恐れがある。また、照明システム１は、監視装置１７に端末１３の位置を表示することができず、施設から避難していない利用者を管理者に通知することができない恐れがある。
【００３２】
これらの問題を解決するため、照明システム１は、以下の処理を実行する。まず端末１３は、照明装置１０から識別情報を受信すると、近傍に位置する照明装置１１に対して受信した識別情報を発信する。例えば、端末１３は、照明装置１１Ａが有する無線通信モジュール７Ａに接続し、双方向モードの無線通信１８を用いて、識別情報を無線通信モジュール７Ａに送信する。
【００３３】
このような場合、無線通信モジュール７Ａは、端末１３から受信した識別情報を他の無線通信モジュール７へ発信する。具体的には、無線通信モジュール７Ａは、近傍に設置された照明装置１１Ｂの無線通信モジュール７Ｂに接続し、双方向モードの無線通信１８を用いて、識別情報を無線通信モジュール７Ｂに送信する。一方、無線通信モジュール７Ｂは、無線通信機１９と無線通信が可能な位置に設置されている。そこで、無線通信モジュール７Ｂは、無線通信機１９に接続し、双方向モードの無線通信１８を用いて、識別情報を無線通信モジュール７Ｂに送信する。すなわち、無線通信モジュール７は、端末１３から受信した識別情報を、無線通信機１９まで中継するメッシュネットワークを形成する。
【００３４】
一方、無線通信機１９は、無線通信モジュール７Ｂから受信した識別情報を、通信経路２０を介して、監視装置１７へと送信する。このように、監視装置１７は、無線通信機１９から識別情報を受信した場合は、サーバ１５と同様に、受信した識別情報と対応する照明装置１０が設置された位置を端末１３の現在位置として特定する。
【００３５】
なお、監視装置１７は、端末１３の現在位置を特定した場合、管理者に特定した位置を通知するだけでなく、端末１３に対して現在位置を返信することで、端末１３の利用者に現在位置を通知し、施設からの避難を容易にしてもよい。例えば、監視装置１７は、端末１３の現在位置を特定すると、特定した位置を示す位置情報を無線通信機１９に出力する。このような場合、無線通信機１９は、無線通信１８を介して、位置情報を無線通信モジュール７Ｂに送信する。一方、無線通信モジュール７Ｂは、無線通信機１９から受信した位置情報を、無線通信１８を介して、無線通信モジュール７Ａに送信する。そして、無線通信モジュール７Ａは、受信した位置情報を、無線通信１８を介して、端末１３に送信する。この結果、端末１３は、サーバ１５と通信を行うことができない場合にも、現在位置を利用者に通知することができる。
【００３６】
なお、端末１３は、照明装置１０Ａの近傍に位置する場合、照明装置１０Ａのビーコン５Ａが発信する識別情報を発信する。このような場合、監視装置１２やサーバ１５は、照明装置１０Ａのビーコン５Ａが発信する識別情報を受信するので、端末１３の位置が照明装置１０Ａの近傍であると判定することとなる。
【００３７】
また、無線通信モジュール７は、端末１３の現在位置によっては、識別情報の中継を行わずともよい。例えば、無線通信モジュール７Ａは、無線通信機１９と直接無線通信を行うことができる場合は、端末１３から受信した識別情報を無線通信機１９へと直接送信してもよい。また、端末１３は、照明装置１１Ｂの近傍に位置する場合、ビーコン５Ｂから受信した識別情報を照明装置１１Ｂの無線通信モジュール７Ｂに送信する。このような場合、無線通信モジュール７Ｂは、受信した識別情報を、無線通信機１９に送信することとなる。
【００３８】
また、図１に示す例では、ビーコン５を有する２つの照明装置１０（照明装置１０Ａ、１０Ｂ）と、無線通信モジュール７を有する２つの照明装置１１（照明装置１１Ａ、１１Ｂ）とを有する照明システム１について説明した。しかしながら、実施形態は、これに限定されるものではない。例えば、照明システム１は、任意の数の照明装置１０および照明装置１１を有していてもよい。
【００３９】
このように、照明システム１は、自装置の識別情報を発信するビーコン５が設置された照明装置１０と、端末１３を介して受信した識別情報を発信する無線通信モジュール７が設置された照明装置１１とを有する。この結果、照明システム１は、端末１３がビーコン５から受信した識別情報を、監視装置１７等、任意の装置まで無線通信モジュール７に中継させることができる。
【００４０】
このため、照明システム１は、移動通信網等が使用できない場合にも、端末１３の位置を特定し、特定した位置を端末１３の利用者や照明システム１の管理者に通知することができる。また、照明システム１は、照明装置１０、１１を施設に設置するだけで、端末１３と監視装置１７との間の新たなネットワークを容易に構築することができる。
【００４１】
ここで、照明装置１０、１１は、非常用照明装置であるため、所定の条件を満たすように施設内に設置することが法令等により求められている。例えば、照明装置１０、１１は、施設内に所定の間隔で設置されている。ここで、照明装置１０、１１が設置される間隔は、隣接する照明装置１１と双方向モードでの無線通信１８を行うには十分近い距離であると考えられる。一方、端末１３が発信した識別情報を監視装置１７へと中継するためには、施設の規模や構造等に応じて、十分な数の無線通信モジュール７を設置すればよい。
【００４２】
このため、照明システム１は、隣接する照明装置１１と双方向モードでの無線通信１８が可能な間隔で設置された複数の照明装置１１を有し、無線通信機１９をいずれかの照明装置１１と通信可能な位置に設置すればよい。この結果、照明システム１は、施設内の任意の位置の端末１３が出力した識別情報を無線通信機１９まで中継することができる。
【００４３】
また、照明システム１は、端末１３の位置をより正確に特定するためには、施設の大きさに対し、ビーコン５を十分に設置すればよい。そこで、照明システム１は、所定の間隔で設置された照明装置１０を有する。この結果、照明システム１は、端末１３の位置をより正確に特定することができる。
【００４４】
また、照明システム１は、ビーコン５が発信した識別情報を受信すると、受信した識別情報を発信する端末１３と、無線通信モジュール７が送信した識別情報を受信すると、受信した識別情報を発信する無線通信機１９と、無線通信機１９が送信した識別情報を受信すると、受信した識別情報と対応する照明装置１０の近傍を、端末１３の現在位置とする監視装置１７とを具備する。このため、照明システム１は、災害時等において端末１３の位置を特定し、特定した位置を端末１３の利用者や照明システム１の管理者に通知することができる。
【００４５】
［照明装置１０の構成例］
次に、図２を用いて、実施形態に係る照明装置１０の構成について説明する。図２は、実施形態に係る照明装置の構成を示す図である。図２に示すように、照明装置１０は、非常用ランプ２と、非常用電源３と、非常用点灯制御部４と、ビーコン５とを有し、商用電源６と接続されている。
【００４６】
非常用ランプ２は、商用電源６による電力供給が停止した場合、いわゆる停電時に少なくとも点灯する光源である。また、非常用ランプ２としては、蛍光灯やＬＥＤ（Light  Emitting  Diode）等、目的に応じて種々の光源が用いられてもよい。
【００４７】
非常用電源３は、商用電源６による電力供給が停止した場合、非常用ランプ２に電力供給を行う蓄電池（二次電池）である。非常用電源３は、目的に応じて種々の蓄電池が用いられてもよい。また、非常用電源３は、商用電源６による電力供給時に、非常用点灯制御部４経由で充電される。すなわち、非常用電源３は、常時において商用電源６による電力供給により充電される。なお、非常用電源３は、トリクル充電や間欠充電等の種々の充電方式を適宜用いて充電されてもよい。
【００４８】
非常用点灯制御部４は、常時に非常用電源３の充電を行い、非常時に非常用ランプ２を非常用電源３により点灯させる。例えば、非常用ランプ２は、非常時のみ非常用点灯制御部４から電源供給され点灯する。また、非常用点灯制御部４は、各種の処理手順などを規定したプログラムおよび所要データを格納するための内部メモリを有し、これらによって種々の処理を実行してもよい。
【００４９】
ビーコン５は、一方向モードの無線通信機能により所定間隔で自装置の識別情報を発信する発信機である。また、ビーコン５は、常時において商用電源６から非常用点灯制御部４へ供給される電力の一部を用いて動作する。また、ビーコン５は、非常時において非常用電源３から非常用点灯制御部４へ供給され、非常用ランプ２を点灯させるために用いられる電力の一部を用いて動作する。このため、ビーコン５を有する照明装置１０は、常時および非常時において、識別情報を所定の時間間隔で発信し続けることができる。
【００５０】
商用電源６は、例えば、所定の電力会社から供給される電力源である。商用電源６は、常時において、非常用電源３の充電および非常用点灯制御部４への電源供給を行う。また、商用電源６は、非常用電源３からの電力供給以外であれば、どのような電力供給手段であってもよい。
【００５１】
［照明装置１１の構成例］
次に、図３を用いて、実施形態に係る照明装置１１の構成について説明する。図３は、実施形態に係る照明装置の構成を示す図である。図３に示すように、照明装置１１は、非常用ランプ２と、非常用電源３と、非常用点灯制御部４と、無線通信モジュール７と、無線通信モジュール用電源８とを有し、商用電源６と接続されている。なお、以下の説明では、照明装置１１が有する非常用ランプ２、非常用電源３、および非常用点灯制御部４は、図２に示した非常用ランプ２、非常用電源３、および非常用点灯制御部４と同様の機能を発揮するものとして、説明を省略する。
【００５２】
無線通信モジュール７は、常時において商用電源６から供給される電力を用いて、双方向モードの無線通信機能により、他の無線通信モジュール７、端末１３、および無線通信機１９とデータの送受信を行う。例えば、無線通信モジュール７は、ＢＬＥの規格に沿って、通信対象となる装置との間で接続を確立し、識別情報や位置情報等のデータを送受信する。そして、無線通信モジュール７は、端末１３がビーコン５から受信した識別情報を、無線通信機１９まで中継する。
【００５３】
例えば、無線通信モジュール７は、端末１３から接続要求を受信すると、端末１３との間で接続を確立し、端末１３から識別情報を受信する。また、無線通信モジュール７は、他の無線通信モジュール７から接続要求を受信した場合は、他の無線通信モジュール７との間で双方向通信の接続を確立し、他の無線通信モジュール７から識別情報を受信する。
【００５４】
このように、識別情報を受信した場合は、無線通信モジュール７は、通信可能な範囲に設置された他の無線通信モジュール７又は無線通信機１９を検索する。ここで、無線通信モジュール７は、通信可能な範囲に無線通信機１９が存在しない場合は、通信可能な範囲に存在する他の無線通信モジュール７に接続要求を送信して接続を確立し、端末１３から受信した識別情報を送信する。一方、無線通信モジュール７は、通信可能な範囲に無線通信機１９が存在する場合は、無線通信機１９に接続要求を送信して接続を確立し、端末１３から受信した識別情報を送信する。
【００５５】
ここで、無線通信モジュール７が使用する双方向モードの無線通信機能は、ビーコン５が使用する一方向モードの無線通信機能よりも１回の通信（例えば、１つのパケット）で多くのデータを送信することができる。しかしながら、このような双方向モードの無線通信機能は、一方向モードの無線通信機能よりも消費電力が大きい。このため、無線通信モジュール７が使用する電力を非常用電源３から供給した場合は、非常時に非常用ランプ２を点灯させるための電力が逼迫する恐れがある。
【００５６】
そこで、照明装置１１は、非常用電源３とは別に、無線通信モジュール用電源８を有する。例えば、無線通信モジュール用電源８は、常時において、商用電源６から供給される電力により、非常用点灯制御部４経由で充電される蓄電池より実現される。そして、無線通信モジュール用電源８は、非常時において、商用電源６からの電力供給が停止した場合は、無線通信モジュール７に電力を供給する。この結果、無線通信モジュール７は、常時のみならず、非常時においても、非常用ランプ２を点灯させるための電力を逼迫させることなく、識別情報を無線通信機１９まで中継することができる。なお、無線通信モジュール用電源８は、非常用電源３と同様に、蓄電池（二次電池）等により実現され、トリクル充電や間欠充電等の種々の充電方式を適宜用いて充電されてもよい。また、無線通信モジュール用電源８は、蓄電池以外にも、市販されているような乾電池若しくはコイン電池等の一次電池により実現されてもよい。
【００５７】
［サーバ１５の構成例］
次に、図４を用いて、実施形態に係るサーバ１５の構成について説明する。図４は、実施形態に係るサーバの構成を示す図である。図４に示すように、サーバ１５は、通信部１５０、記憶部１５１、制御部１５３を有する。
【００５８】
通信部１５０は、例えば、ＮＩＣ（Network  Interface  Card）等の所定の通信回路等によって実現される。例えば、通信部１５０は、無線通信１４およびインターネットＮを介して、端末１３との間で識別情報や位置情報の送受信を行う。記憶部１５１は、例えば、ＲＡＭ（Random  Access  Memory）、フラッシュメモリ（Flash  Memory）等の半導体メモリ素子、または、ハードディスク、光ディスク等の記憶装置によって実現される。例えば、記憶部１５１は、照明情報データベース１５２を記憶する。
【００５９】
例えば、図５は、実施形態に係る照明情報データベースに格納される情報の一例を示す図である。図５に示すように、照明情報データベース１５２には、識別情報と設置位置とが対応付けて登録されている。ここで、設置位置とは、対応付けられた識別情報を出力するビーコン５が発信する識別情報である。例えば、図５に示す例では、照明情報データベース１５２は、識別情報「ＩＤ０００１」を出力する照明装置１０が、設置位置「５階ホール３列目」に設置されており、識別情報「ＩＤ０００２」を出力する照明装置１０が、設置位置「５階ホール２列目」に設置されている旨を示す。また、照明情報データベース１５２は、識別情報「ＩＤ０００３」を出力する照明装置１０が、設置位置「５階ホール１列目」に設置されている旨を示す。
【００６０】
図４に戻り、説明を続ける。制御部１５３は、各種の処理手順などを規定したプログラム及び所要データを格納するための内部メモリを有し、これらによって種々の処理を実行するが、特に本発明に密接に関連するものとしては、特定部１５４および送信部１５５を有する。
【００６１】
特定部１５４は、端末１３の現在位置を特定する。例えば、特定部１５４は、通信部１５０を介して、端末１３がビーコン５から受信した識別情報を受信すると、受信した識別情報と対応付けられた設置位置を特定する。送信部１５５は、端末１３に現在位置を通知する。例えば、送信部１５５は、特定部１５４が特定した設置位置を示す位置情報を生成し、識別情報の送信元である端末１３へ、生成した位置情報を送信する。また、送信部１５５は、生成した位置情報を、通信経路１６を介して、監視装置１７へと送信する。
【００６２】
［監視装置１７の構成例］
次に、図６を用いて、実施形態に係る監視装置１７の構成について説明する。図６は、実施形態に係る監視装置の構成を示す図である。図６に示すように、監視装置１７は、通信部１２０、記憶部１７１、制御部１７３を有する。
【００６３】
通信部１７０は、例えば、ＮＩＣ等の所定の通信回路等によって実現される。例えば、通信部１７０は、通信経路１６を介して、サーバ１５から位置情報を受信する。また、通信部１７０は、照明装置１１が無線通信１８を介して無線通信機１９に送信した識別情報を、通信経路２０を介して受信する。記憶部１７１は、例えば、ＲＡＭ、フラッシュメモリ等の半導体メモリ素子、または、ハードディスク、光ディスク等の記憶装置によって実現される。例えば、記憶部１７１は、照明情報データベース１７２を記憶する。なお、照明情報データベース１７２には、図５に示した照明情報データベース１５２と同様の情報が登録されているものとして、説明を省略する。
【００６４】
図６に戻り、説明を続ける。制御部１７３は、各種の処理手順などを規定したプログラム及び所要データを格納するための内部メモリを有し、これらによって種々の処理を実行するが、特に本発明に密接に関連するものとしては、特定部１７４および出力部１７５を有する。
【００６５】
特定部１７４は、端末１３の現在位置を特定する。例えば、特定部１７４は、照明装置１１が中継した識別情報を受信すると、受信した識別情報と対応付けられた設置位置を特定する。出力部１７５は、端末１３の現在位置を出力する。例えば、出力部１７５は、特定部１７４が特定した設置位置や、サーバ１５から受信した位置情報が示す設置位置を、モニタやプリンタ等の出力装置から出力することで、施設内の利用者の位置を管理者に通報する。なお、出力部１７５は、特定部１７４が特定した設置位置示す位置情報を生成し、通信経路２０、無線通信機１９、無線通信１８、および照明装置１１を介して、識別情報の送信元である端末１３へ、生成した位置情報を送信してもよい。
【００６６】
［照明装置１１が実行する処理の流れ］
次に、図７を用いて、照明装置１１が識別情報を中継する処理の流れの一例を説明する。図７は、実施形態にかかる照明装置が実行する処理の流れの一例を示すフローチャートである。なお、図７に示す各処理は、照明装置１１が有する無線通信モジュール７により実現されるものとする。
【００６７】
図７に示すように、照明装置１１は、端末１３又は他の照明装置１１から接続要求を受信したか否かを判定し（ステップＳ１０１）、接続要求を受信していない場合は（ステップＳ１０１：Ｎｏ）、受信するまで待機する。一方、照明装置１１は、端末１３又は他の照明装置１１から接続要求を受信した場合は（ステップＳ１０１：Ｙｅｓ）、要求元の端末１３または照明装置１１との接続を確立させる（ステップＳ１０２）。
【００６８】
また、照明装置１１は、要求元の端末１３または照明装置１１から識別情報を受信する（ステップＳ１０３）。そして、照明装置１１は、無線通信機１９と通信可能であるか否かを判定する（ステップＳ１０４）。ここで、照明装置１１は、無線通信機１９と通信可能である場合は（ステップＳ１０４：Ｙｅｓ）、無線通信機１９に接続要求を送信して接続を確立させ（ステップＳ１０５）、無線通信機１９に識別情報を送信し（ステップＳ１０６）、処理を終了する。一方、照明装置１１は、無線通信機１９と通信できない場合は（ステップＳ１０４：Ｎｏ）、近傍の他の照明装置１１に接続要求を送信して接続を確立させ（ステップＳ１０７）、他の照明装置１１に識別情報を送信し（ステップＳ１０８）、処理を終了する。
【００６９】
［無線通信機１９が実行する処理の流れ］
次に、図８を用いて、無線通信機１９が照明装置１１から受信した識別情報を監視装置１７へと中継する処理の流れの一例を説明する。図８は、実施形態にかかる無線通信機が実行する処理の流れの一例を示すフローチャートである。
【００７０】
図８に示すように、無線通信機１９は、照明装置１１から接続要求を受信したか否かを判定し（ステップＳ２０１）、接続要求を受信していない場合は（ステップＳ２０１：Ｎｏ）、受信するまで待機する。一方、無線通信機１９は、照明装置１１から接続要求を受信した場合は（ステップＳ２０１：Ｙｅｓ）、要求元の照明装置１１との接続を確立させ、端末１３がビーコン５から受信した識別情報を受信する（ステップＳ２０２）。そして、無線通信機１９は、受信した識別情報を監視装置１７に出力し（ステップＳ２０３）、処理を終了する。
【００７１】
［監視装置１７が実行する処理の流れ］
次に、図９を用いて、端末１３がビーコン５から受信し、照明装置１１が中継した識別情報を用いて、監視装置１７が端末１３の位置を特定する処理の流れの一例を説明する。図９は、実施形態にかかる監視装置が実行する処理の流れの一例を示すフローチャートである。
【００７２】
図９に示すように、監視装置１７は、無線通信機１９から識別情報を受信したか否かを判定し（ステップＳ３０１）、識別情報を受信していない場合は（ステップＳ３０１：Ｎｏ）、受信するまで待機する。一方、監視装置１７は、識別情報を受信した場合は（ステップＳ３０１：Ｙｅｓ）、識別情報と対応付けられた設置位置を照明情報データベース１７２から特定し（ステップＳ３０２）、特定した設置位置をモニタ等に出力して（ステップＳ３０３）、処理を終了する。
【００７３】
［位置を特定する処理の一例］
次に、端末１３が照明装置１０から受信した識別情報を照明装置１１が中継し、監視装置１７が端末１３の位置を特定する処理の具体例を図面に基づいて説明する。図１０は、実施形態にかかる照明システムが実行する処理の一例を示すシーケンス図である。また、図１０に示す例では、照明装置１１Ａと照明装置１１Ｂ、照明装置１１Ｂと無線通信機１９とが通信可能な位置に設置され、照明装置１１Ａと無線通信機１９とが通信可能な位置に設置されていないものとする。
【００７４】
例えば、端末１３は、照明装置１０のビーコン５が所定の時間間隔で出力する識別情報を受信する（ステップＳ１）。このような場合、端末１３は、照明装置１１Ａとの間で双方向通信の接続を確立し（ステップＳ２）、ビーコン５から受信した識別情報を照明装置１１Ａに送信する（ステップＳ３）。このような場合、照明装置１１Ａは、照明装置１１Ｂとの間で双方向通信の接続を確立し（ステップＳ４）、ステップＳ３にて受信した識別情報を照明装置１１Ｂに送信する（ステップＳ５）。
【００７５】
続いて、照明装置１１Ｂは、無線通信機１９との間で双方向通信の接続を確立し（ステップＳ６）、ステップＳ５にて受信した識別情報を無線通信機１９に送信する（ステップＳ７）。このような場合、無線通信機１９は、ステップＳ７にて受信した識別情報を監視装置１７へと送信する（ステップＳ８）。
【００７６】
この結果、監視装置１７は、端末１３が照明装置１０から受信した識別情報を用いて、端末１３の位置を特定し（ステップＳ９）、特定した位置を出力することで（ステップＳ１０）、施設内に利用者がいるか否か、施設内にいる利用者の位置等を管理者に通知することができる。
【００７７】
［一方向モードと双方向モードとの切替について］
上述した説明では、照明システム１は、一方向モードで識別情報を発信する照明装置１０と、双方向モードで識別情報を中継する照明装置１１とを有していた。しかしながら、実施形態は、これに限定されるものではない。
【００７８】
例えば、双方向モードで無線通信を行うことができる無線通信モジュール７は、一方向モードで識別情報を発信するビーコン５としても動作可能である。そこで、照明システム１は、複数の照明装置１１を有し、各照明装置１１の無線通信モードを一方向モードと双方向モードとで切り替えることで、上述した各種の処理を実現してもよい。
【００７９】
例えば、照明システム１は、複数の照明装置１１を有する。常時においては、照明システム１は、各照明装置１１が有する無線通信モジュール７を、一方向モードで動作させ、所定の時間間隔で識別情報を発信させる。この結果、端末１３は、サーバ１５に受信した識別情報を送信することで、現在位置を特定できる。一方、照明システム１は、非常時においては、一部の照明装置１１が有する無線通信モジュール７を、双方向モードで動作させ、一方向モードで動作する無線通信モジュール７から受信した識別情報を、端末１３から無線通信機１９まで中継させる。この結果、監視装置１７は、非常時においても、端末１３の現在位置を特定できる。
【００８０】
このように、照明システム１は、複数の照明装置１１が有する各無線通信モジュール７の動作モードを切り替えることで、上述した各種の処理を実現することができる。この結果、照明システム１は、照明装置１０と照明装置１１とを個別に設置せずとも、複数の照明装置１１を設置するだけで、上述した各種の処理を実現できるので、照明システム１の設置に伴う手間を削減することができる。
【００８１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【００８２】
１          照明システム
１０、１１  照明装置
２          非常用ランプ
３          非常用電源
４          非常用点灯制御部
５          ビーコン
６          商用電源
７          無線通信モジュール
８          無線通信モジュール用電源
１３        端末
１５        サーバ
１７        監視装置
１９        無線通信機
【図１】
0006575225.tif 000002
【図２】
0006575225.tif 000003
【図３】
0006575225.tif 000004
【図４】
0006575225.tif 000005
【図５】
0006575225.tif 000006
【図６】
0006575225.tif 000007
【図７】
0006575225.tif 000008
【図８】
0006575225.tif 000009
【図９】
0006575225.tif 000010
【図１０】
0006575225.tif 000011